(57)【要約】【課題】パチスロ台の遊技媒体であるメダルを、誤って、ＩＣコイン式のメダル貸機のＩＣコイン投入口に投入してしまうことを、確実に防止すること。【解決手段】遊技システム１の遊技島２にはパチスロ台５とＩＣコイン式の台間機６が交互に配列されている。台間機６のＩＣコイン投入口２９の長さＬ（２９）および幅Ｗ（２９）と、ＩＣコイン１２の直径Ｌ（１２）および厚さＷ（１２）と、メダル１１の直径Ｌ（１１）および厚さＷ（１１）とは次の条件を満足するように決定されている。Ｌ（１２）＜Ｌ（２９）＜Ｌ（１１）Ｗ（１１）＜Ｗ（１２）＜Ｗ（２９）ＩＣコイン投入口２９の長さＬ（２９）はメダル１１の長さＬ（１１）よりも短いので、物理的にメダル１１をＩＣコイン投入口２９に投入することができない。従って、遊技者が誤って遊技用媒体であるメダル１１をＩＣコイン投入口２９に投入してしまうことを確実に阻止できる。【選択図】      図２
2004209053.tif 000002
【特許請求の範囲】
【請求項１】
遊技台と、
前記遊技台で遊技を行うために用いる円盤状遊技媒体と、
前記円盤状遊技媒体の貸し出し処理を行う遊技媒体処理機と、
前記遊技媒体処理機から前記円盤状遊技媒体の貸し出しを受けるために用いるＩＣチップが内蔵された円盤状記憶媒体とを有し、
前記遊技媒体処理機は、前記円盤状記憶媒体を投入するための記憶媒体投入口を備え、
前記円盤状遊技媒体を前記記憶媒体投入口から投入できないように、前記円盤状遊技媒体および／または前記記憶媒体投入口の寸法が設定されている遊技システム。
【請求項２】
請求項１において、
前記円盤状遊技媒体の直径が、前記記憶媒体投入口の長さよりも長いことを特徴とする遊技システム。
【請求項３】
請求項１または２において、
前記遊技台は前記円盤状遊技媒体を投入するための遊技媒体投入口を備え、
前記円盤状記憶媒体を前記遊技媒体投入口から投入できないように、前記円盤用記憶媒体および／または前記遊技媒体投入口の寸法が設定されていることを特徴とする遊技システム。
【請求項４】
請求項３において、
前記円盤状記憶媒体の厚さが、前記遊技媒体投入口の幅よりも大きいことを特徴とする遊技システム。
【請求項５】
請求項４において、
前記円盤状記憶媒体の厚さが、前記円盤状遊技媒体の厚さの２倍以上であることを特徴とする遊技システム。
【請求項６】
請求項５において、
前記円盤状記憶媒体は、その直径が２５ｍｍ未満、その厚さが３．２ｍｍ以上であることを特徴とする遊技システム。
【請求項７】
請求項１ないし６のうちのいずれかの項において、
前記遊技台として、パチンコ玉を用いて遊技を行う遊技台を含み、
前記媒体処理機として、前記パチンコ玉の貸し出し処理を行うパチンコ玉処理機を含むことを特徴とする遊技システム。
【請求項８】
請求項１ないし７のうちのいずれかの項に記載の遊技システムに用いる前記円盤状記憶媒体。
【請求項９】
請求項１ないし７のうちのいずれかの項に記載の遊技システムに用いる前記円盤状遊技媒体。
【請求項１０】
請求項１ないし７のうちのいずれかの項に記載の遊技システムに用いる前記媒体処理機。
【請求項１１】
請求項３ないし７のうちのいずれかの項に記載の遊技システムに用いる前記遊技台。
【発明の詳細な説明】
【０００１】
【発明の属する技術分野】
本発明は、回胴式遊技台（パチスロ）により遊技を行わせるための遊技システムに関し、更に詳しくは、ＩＣコインなどと呼ばれているＩＣチップ内蔵の非接触型の円盤状記憶媒体を用いてパチスロでの遊技に用いられる遊技媒体用のメダルの貸し出し処理を行う遊技媒体処理機を備えた遊技システムに関するものである。
【０００２】
【従来の技術】
近年、回胴式遊技台（パチスロ）の人気はすさまじく、パチスロ専門店も多く存在し、パチンコ人気を上回るほどの成長を続けている。パチスロ店においても、パチンコ店と同様に、遊技台１台に対して１台の割合、あるいは複数台に１台の割合でメダル貸機（遊技媒体処理機）が設置され、遊技客に対して遊技媒体用のメダルの貸し出しが行われる。メダル貸機としては千円札専用のものが多く、遊技客は店内に数台設置されている両替機で高額紙幣を千円札に両替することで、メダル貸機を利用している。パチスロ人気に伴って、パチンコ店においても、店内の一部にパチスロコーナーを設けて、パチンコおよびパチスロのいずれも行えるようになってきている。
【０００３】
ここで、パチンコ業界では、ＩＣチップを内蔵したＩＣカードを利用した遊技媒体貸し出し用台間機が普及し始めている。ＩＣカードは、遊技用のプリペイドカードとして利用されている磁気カードに比べて記憶容量が極めて大きく、その大きな記憶容量を利用して様々な会員サービスの提供が可能である。
【０００４】
上記のように、パチスロ用のメダル貸機としては現金機システムが採用されており、パチンコ用のパチンコ玉貸し出し用台間機としてはＩＣカードシステムが採用されている。このために、店内の一部にパチスロコーナーが設けられている遊技店においては、パチンココーナーに設置されたＩＣカードシステムとパチスロコーナーに設置された現金機システムとが混在している場合が多い。遊技客は、双方の遊技を行うためには、ＩＣカードおよび現金を所持していなければならないので極めて不便である。
【０００５】
かかる不便を解消するために、ＩＣカード式メダル貸機も提案されている。ＩＣカード式メダル貸機を用いれば、パチンコおよびパチスロを、共通のＩＣカードを用いて行うことが可能になり、便利である。
【０００６】
しかしながら、ＩＣカードは薄いので折れ曲がるなどの弊害がある。ＩＣカードの弊害を解消するために、コイン形状をした遊技用記憶媒体が提案されている。かかる円盤状遊技用記憶媒体はＩＣコインなどと呼ばれており、ＩＣチップが内蔵された非接触型の記憶媒体である。
【０００７】
ここで、パチスロに用いられている遊技媒体用のメダルは直径が２５ｍｍまたは３０ｍであり、厚さが約１．６ｍｍである。これに対して、遊技用記憶媒体であるＩＣコインは、一般に、直径が３２ｍｍ〜３５ｍｍであり、厚さが２．５ｍｍ〜３．５ｍｍであり、遊技媒体用のメダルよりも大きい。このような大きさのＩＣコインを用いて遊技媒体用のメダルの貸し出しを行う台間機では、ＩＣコインを投入するための投入口に、ＩＣコインよりも小さな遊技媒体用のメダルが入ってしまう。このために、遊技者が誤って台間機にメダルを投入してしまい、台間機が故障するなどの弊害が発生する惧れがある。
【０００８】
また、パチスロ台にはメダル投入口が備わっており、メダル投入口は、連続して複数枚のメダルを円滑に受け入れることができるように、メダルよりも一回り大きな開口となっている。このために、遊技者が誤ってメダルの代わりにＩＣコインを投入してしまう惧れがある。
【０００９】
このようなメダルとＩＣコインの誤投入に起因する弊害を防止するために、下記の特許文献には、メダルの貸し出し処理を行うためのＩＣコイン処理装置の内部に不適正コインの振り分け手段を設け、不適正コインが投入された場合には、そのような不適正コインを振り分けて排出する発明が提案されている。
【００１０】
【特許文献】
特開２００２−２３９１９２号公報
【００１１】
【発明が解決しようとする課題】
しかしながら、誤投入されたＩＣコインあるいは遊技媒体用のメダルをＩＣコイン処理装置の内部で振り分ける方法では、ＩＣコイン処理装置のコイン搬送機構が複雑化し、コスト高になるという問題点がある。また、投入された遊技媒体用のメダルが規格外のもの等の場合には、振り分けられずに内部に搬入されて、搬送経路に詰まりが発生する惧れがある。
【００１２】
本発明の課題は、このような点に鑑みて、簡単な構成により、円盤状遊技媒体が誤って遊技媒体処理装置の記憶媒体投入口に投入されてしまうことを確実に防止することのできる遊技システムを提案することにある。
【００１３】
また、本発明の課題は、簡単な構成により、円盤状記憶媒体が誤って遊技台の遊技媒体投入口に投入されてしまうことを確実に防止することのできる遊技システムを提案することにある。
【００１４】
【課題を解決するための手段】
上記の課題を解決するために、本発明の遊技システムは、遊技台と、前記遊技台で遊技を行うために用いる円盤状遊技媒体と、前記円盤状遊技媒体の貸し出し処理を行う遊技媒体処理機と、前記遊技媒体処理機から前記円盤状遊技媒体の貸し出を受けるために用いるＩＣチップが内蔵された円盤状記憶媒体とを有し、前記遊技媒体処理機は、前記円盤状記憶媒体を投入するための記憶媒体投入口を備え、前記円盤状遊技媒体を前記記憶媒体投入口から投入できないように、前記円盤状遊技媒体および／または前記記憶媒体投入口の寸法が設定されていることを特徴としている。例えば、前記円盤状遊技媒体の直径が前記記憶媒体投入口の長さよりも長いことを特徴としている。
【００１５】
また、本発明では、前記遊技台が前記円盤状遊技媒体を投入するための遊技媒体投入口を備えている場合には、前記円盤状記憶媒体を前記遊技媒体投入口から投入できないように、前記円盤用記憶媒体および／または前記遊技媒体投入口の寸法が設定されていることを特徴としている。
【００１６】
例えば、前記円盤状記憶媒体の厚さが、前記遊技媒体投入口の幅よりも大きいことを特徴としている。この場合、前記円盤状記憶媒体の厚さが、前記円盤状遊技媒体の厚さの２倍以上であることが望ましい。
【００１７】
ここで、パチスロに一般的に用いられている遊技媒体用のメダルは直径が２５ｍｍまたは３０ｍであり、厚さが約１．６ｍｍである。この場合、円盤状記憶媒体は、その直径が２５ｍｍ未満、その厚さが３．２ｍｍ以上であることが望ましい。
【００１８】
次に、パチンコ台およびパチスロ台が併設されている遊技店においては、前記媒体処理機として、円盤状遊技媒体の貸し出し処理を行うものに加えて、パチンコ玉の貸し出し処理を行うパチンコ玉処理機も設置されいる。この場合、パチンコ玉処理機における記憶媒体投入口に円盤状遊技媒体が誤って投入されることの無い様に、上記の各構成を採用することが望ましい。
【００１９】
一方、本発明は遊技システムに用いる円盤状記憶媒体に関するものであり、上記のように寸法が設定されていることを特徴としている。
【００２０】
また、本発明は遊技システムに用いる円盤状遊技媒体に関するものであり、上記のように寸法が設定されていることを特徴としている。
【００２１】
さらに、本発明は遊技システムに用いる媒体処理機に関するものであり、上記のように記憶媒体投入口が設定されていることを特徴としている。
【００２２】
また、本発明は遊技システムに用いる遊技台に関するものであり、上記のように遊技媒体投入口が設定されていることを特徴としている。
【００２３】
【発明の実施の形態】
以下に、図面を参照して、本発明を適用した遊技システムの実施の形態を説明する。
【００２４】
図１は本実施の形態に係る遊技システムを示す部分正面図である。図２は、その遊技台用台間機のＩＣコイン投入口、ＩＣコイン、遊技用メダル等の寸法関係を示す説明図である。
【００２５】
本実施の形態に係る遊技システム１の基本的な構成は、パチンココーナーとパチスロコーナーが併設されているパチンコ店などの遊技店における一般的なものである。パチンココーナーおよびパチスロコーナーのいずれにおいても、単列あるいは複数列の遊技島が形成されており、各遊技島においては、遊技台（パチンコ台あるいはパチスロ台）と、遊技台に対して遊技媒体の貸し出し処理を行う遊技台用台間機とが交互に配列された構成となっている。
【００２６】
図１には遊技システム１におけるパチスロコーナーの遊技島の一部を示してあり、遊技島２は、遊技島を構成するための遊技島取り付け枠３と、この遊技島取り付け枠３に沿って取り付けられた複数の遊技ユニット４とから構成されている。各遊技ユニット４は、遊技台であるパチスロ台５と、パチスロ台５の左側に隣接配置されているＩＣコイン式の台間機（記憶媒体処理機）６とを備えており、各パチスロ台５の上側には呼出ランプユニット７が配置されている。各パチスロ台５は一定の隙間をあけて遊技島取り付け枠３に取り付けられており、隣接するパチスロ台５の隙間に、台間機６が差し込まれて遊技島取り付け枠３に固定されている。
【００２７】
パチスロ台５は、遊技媒体としてのメダル１１（円盤状遊技媒体）を用いて遊技を行うものであり、メダル１１の貸し出しはパチスロ台５の右隣に配置されているＩＣコイン式の台間機６によって行われる。ＩＣコイン式の台間機６では、遊技用記憶媒体としてのＩＣコイン１２（円盤状記憶媒体）を投入すると、ＩＣコイン１２のＩＣチップに記憶保持されている金額情報の範囲内で、遊技者によって指定された枚数のメダル１１がパチスロ台５に貸し出されるようになっている。また、本例の台間機６は入金機能が備わっており、ＩＣコイン１２が投入された状態において、紙幣を挿入すると、挿入した紙幣の金額がＩＣコイン１２に記憶保持されている金額情報に加算されるようになっている。
【００２８】
ＩＣコイン１２はＩＣチップが内蔵されており、非接触状態で当該ＩＣチップに記憶保持されている情報の読み取りおよび、当該ＩＣチップへの書き込み処理を行うことが可能である。ＩＣチップは、一般的に普及している遊技用記憶媒体としてのＩＣカードに用いられているものと同一である。
【００２９】
かかる入金機能を備えたＩＣコイン式の台間機６は、幅が狭く上下に長い直方体形状の台間機ケース２１を有し、この台間機ケース２１の内部に、上側から順に、紙幣識別機２２、制御器２３、ＩＣコイン１２のリーダライタ２４、ＩＣコインの回収部２５が配置されている。台間機ケース２１の前面パネル２６には、紙幣識別機２２に対峙している上側部分に紙幣挿入口２７が形成されている。また、制御器２３に対峙している前面パネル２６の部位には、テンキー、液晶表示面などが配列された操作部２８と、ＩＣコイン投入口２９とが形成されている。さらに、前面パネル２６の下端部分には、ＩＣコイン１２の排出口３０が形成されている。
【００３０】
この構成の台間機６では、制御器２３の制御の下に各部分が駆動制御され、遊技媒体であるメダル１１の貸し出し処理が行われる。また、紙幣挿入口２７から紙幣が挿入されると、ＩＣコイン１２に記憶保持されている金額情報の書き換え処理が行われる。
【００３１】
ここで、図２を参照して、遊技システム１において用いられるメダル１１、ＩＣコイン１２およびＩＣコイン投入口２９の寸法関係を説明する。遊技媒体としてのメダル１１は、一般的に利用されているものであり、直径Ｌ（１１）が２５ｍｍで厚さＷ（１１）が約１．６ｍｍのもの、または、直径Ｌ（１１）が３０ｍｍで厚さＷ（１１）が約１．６ｍｍのものである。ＩＣコイン１２の直径Ｌ（１２）および厚さＷ（１１）、並びに、ＩＣコイン投入口２９の長さＬ（２９）および幅Ｗ（２９）は、次の条件を満足するように設定されている。
Ｌ（１２）＜Ｌ（２９）＜Ｌ（１１）
Ｗ（１１）＜Ｗ（１２）＜Ｗ（２９）
【００３２】
このようにＩＣコイン１２およびＩＣコイン投入口２９の寸法を設定すると、ＩＣコイン投入口２９の長さＬ（２９）はメダル１１の長さＬ（１１）よりも短いので、物理的にメダル１１をＩＣコイン投入口２９に投入することができない。従って、遊技者が誤って遊技用媒体であるメダル１１をＩＣコイン投入口２９に投入してしまうことを確実に阻止できる。
【００３３】
ここで、パチスロ台５としては、遊技媒体用のメダル１１の投入口（遊技媒体投入口）が設けられているものがある。この場合、メダル投入口に誤ってＩＣコイン１２が投入されることが無い様にする必要がある。このためには、図２に示すように、メダル投入口３１の幅Ｗ（３１）を次のように、ＩＣコイン１２の幅Ｗ（１２）未満の値に設定すればよい。
Ｗ（３１）＜Ｗ（１２）
【００３４】
このようにすれば、物理的にＩＣコイン１２をメダル投入口３１に投入することができないので、遊技者が誤ってＩＣコイン１２をメダル投入口３１に投入してしまうことを確実に阻止できる。
【００３５】
ここで、メダル投入口３１は、一般に、複数枚のメダルを円滑に連続投入できるように、且つ、複数枚のメダルが重なった状態で投入できないように、メダル１１の幅Ｗ（１１）の約２倍弱に設定されている。従って、ＩＣコイン１２の幅Ｗ（１２）を次のように、メダル１１の幅Ｗ（１１）の２倍を超える寸法に設定すればよい。
２Ｗ（１１）＜Ｗ（１２）
【００３６】
上記のように、メダル１１の厚さＷ（１１）は一般に約１．６ｍｍなので、ＩＣコイン１２の厚さＷ（１２）を、３．２ｍｍを越える値にすればよい。
【００３７】
なお、本例では、一般的に利用されているメダル（円盤状遊技媒体）の直径および厚さに基づき、ＩＣコイン（円盤状記憶媒体）の直径および厚さ、並びにＩＣコイン投入口の長さおよび幅を決定している。この代わりに、現在入手可能なＩＣコインの直径および厚さに基づき、ＩＣコイン投入口の長さおよび幅、並びにメダルの直径および厚さを決定してもよい。すなわち、現在入手可能なＩＣコインの直径は３２ｍｍ〜３５ｍｍであり、厚さが２．５ｍｍ〜３．５ｍｍであるので、上記の条件式を満足するように、ＩＣコイン投入口の長さおよび幅、並びにメダルの直径および厚さを決定すればよい。勿論、ＩＣコイン投入口の長さおよび幅を先に設定し、上記の条件式に基づき、使用可能なＩＣコインおよびメダルの直径および厚さを決定してもよい。
【００３８】
次に、上記の遊技システム１において、パチンココーナーの遊技島においても、ＩＣコインを用いて遊技媒体であるパチンコ玉の貸し出し処理を行う台間機や、遊技島から離れた位置に玉貸機が設置される場合がある。この場合、これらの台間機や玉貸機に形成されるＩＣコイン投入口の長さおよび幅も、上記の条件式を満足するように決定すればよい。
【００３９】
（その他の実施の形態）
上記の例では、ＩＣコイン投入口２９の長さをメダル１１の直径よりも短くして、メダル１１の誤投入を防止している。この代わりに、ＩＣコイン投入口２９の幅をメダル１１の厚さよりも薄くして、メダル１１の誤投入を防止することも可能である。
【００４０】
また、ＩＣコイン１２の直径をメダル投入口の長さよりも長くして、ＩＣコイン１２がメダル投入口に誤投入されることを防止することも可能である。
【００４１】
【発明の効果】
以上説明したように、本発明の遊技システムにおいては、円盤状記憶媒体を用いて円盤状遊技媒体の貸し出し処理を行う遊技媒体処理機に形成されている記憶媒体投入口の長さおよび幅と、円盤状記憶媒体の直径および厚さと、円盤状遊技媒体の直径および厚さを適切に設定することにより、物理的に円盤状遊技媒体を記憶媒体投入口に投入できないようにしている。従って、誤って投入されてしまった円盤状遊技媒体を振り分けて排出する機構とは異なり、誤投入を未然に阻止できるので、誤投入に起因する弊害を確実に回避できる。また、誤投入された円盤状遊技媒体を振り分けるための機構を付設する必要がないので、搬送機構の複雑化、コスト高を回避できる。
【００４２】
また、本発明では、遊技台に形成されている遊技媒体投入口の長さおよび厚さと、円盤状記憶媒体の長さおよび厚さを適切に設定することにより、物理的に遊技媒体投入口に円盤状記憶媒体を投入できないようにしている。従って、遊技媒体投入口に対する円盤状記憶媒体の誤投入を、極めて簡単な構成により、しかも確実に阻止することができる。
【図面の簡単な説明】
【図１】本発明を適用した遊技システムにおけるパチスロ台が配列されている遊技島の一部を示す部分正面図である。
【図２】図１の遊技システムにおけるＩＣコイン投入口と、ＩＣコインと、メダルと、メダル投入口の寸法関係を示すための説明図である。
【符号の説明】
１    遊技システム
２    遊技島
３    遊技島取り付け枠
４    遊技ユニット
５    パチスロ台
６    台間機
１１  メダル
１２  ＩＣコイン
２６  台間機の前面パネル
２９  ＩＣコイン投入口
３１  メダル投入口
Ｌ（１１）  メダルの直径
Ｗ（１１）  メダルの厚さ
Ｌ（１２）  ＩＣコインの直径
Ｗ（１２）  ＩＣコインの厚さ
Ｌ（２９）  ＩＣコイン投入口の長さ
Ｗ（２９）  ＩＣコイン投入口の幅
Ｌ（３１）  メダル投入口の長さ
Ｗ（３１）  メダル投入口の幅
【図１】
2004209053.tif 000003
【図２】
2004209053.tif 000004